(57)【特許請求の範囲】
【請求項１】
楽器本体と、
前記楽器本体に連結部材を介して、前記楽器本体の天面に倒された非使用状態と、前記天面から起こされた使用状態と、を取り得るように、連結された第１譜面板部材と、
前記第１譜面板部材と別部材で構成された第２譜面板部材と、
前記第１譜面板部材と前記第２譜面板部材とが離間した第１の状態と、前記第１譜面板部材と前記第２譜面板部材との少なくとも一部が接触もしくは前記第１の状態よりも近接した第２の状態のいずれかの状態で前記第１譜面板部材と前記第２譜面板部材とを連結する連結機構と、
を備えることを特徴とする鍵盤楽器。
【請求項２】
前記第２の状態において、前記第１譜面板部材及び前記第２譜面板部材が前記楽器本体の天面に倒された場合に、前記第２譜面板部材の上端が前記楽器本体の天面の端部から突出しないことを特徴とする請求項１に記載の鍵盤楽器。
【請求項３】
前記連結機構は、
前記第１譜面板部材及び前記第２譜面板部材のいずれか一方の裏面に設置され、前記第２の状態において回転の中心から垂直方向に延びる第１腕部材と、前記第１腕部材よりも長く前記第１腕部材とは異なる方向に延びる第２腕部材とを備える回転支持部材と、
前記第１譜面板部材及び前記第２譜面板部材の他方の裏面に設置され、前記第１腕部材及び前記第２腕部材の先端を保持する保持部材と、
を備えることを特徴とする請求項１または２に記載の鍵盤楽器。
【請求項４】
前記連結機構は、
前記第１譜面板部材及び第２譜面板部材のいずれか一方に設置される突出部と、
前記第１譜面板部材及び前記第２譜面板部材の他方に設置され、前記突出部と嵌合する嵌合穴と、
前記第１譜面板部材及び前記第２譜面板部材のいずれか一方の裏面に設置され、前記第２の状態において回転の中心から水平方向に延び、前記突出部よりも長い第３腕部材を備える回転支持部材と、
前記第１譜面板部材及び前記第２譜面板部材の他方の裏面に設置され、前記第３腕部材の先端を保持する保持部材と、
を備えることを特徴とする請求項１または２に記載の鍵盤楽器。
【請求項５】
前記連結機構は、
前記第１譜面板部材及び前記第２譜面板部材のいずれか一方の裏面に設置され、回転軸から第１の距離を有する第１の支持位置と、回転軸から前記第１の距離よりも大きい第２の距離を有する第２の支持位置とを有するガイドレールを備える回転支持部材と、
前記第１譜面板部材及び前記第２譜面板部材の他方の裏面に設置され、前記ガイドレールに係合する係合部材と、
を備えることを特徴とする請求項１または２に記載の鍵盤楽器。
【請求項６】
連結部材を介して楽器本体の天面に倒すことが可能に連結される第１譜面板部材と、  前記第１譜面板部材と別部材で構成された第２譜面板部材と、  前記第１譜面板部材と前記第２譜面板部材とが離間した第１の状態と、前記第１譜面板部材と前記第２譜面板部材との少なくとも一部が接触もしくは前記第１の状態よりも近接した第２の状態のいずれかの状態で前記第１譜面板部材と前記第２譜面板部材とを連結する連結機構と、  を備える譜面台。
【発明の詳細な説明】
【技術分野】
【０００１】
本発明は、鍵盤楽器及び譜面台に関する。
【背景技術】
【０００２】
従来、電子ピアノ等の鍵盤楽器には、譜面を支持するための譜面台が備えられている。また、このような譜面台として、可倒式の構成を有するものが知られている。可倒式の譜面台は、鍵盤楽器の天面にヒンジを介して設置され、非使用時には裏面を天面に向かい合わせて倒された状態、使用時には天面から起立した状態とされる。
なお、可倒式の譜面台を備えた鍵盤楽器は、例えば、特許文献１に記載されている。
【先行技術文献】
【特許文献】
【０００３】
【特許文献１】特開２０１３−０４７８３２号公報
【発明の概要】
【発明が解決しようとする課題】
【０００４】
しかしながら、電子ピアノ等の鍵盤楽器は、本体の小型化が進んでおり、天面の奥行は小さくなる傾向にある。
そのため、譜面台の高さが本体天面の奥行よりも大きくなり、非使用時に譜面台が裏面を天面に向かい合わせて倒された場合に、譜面台の先端が本体天面の後端から突出する寸法となることがある。この場合、譜面台の収納性が低下することとなる。
一方、本体天面に合わせて譜面台の高さを小さくした場合、譜面を十分に支持できなくなり、譜面台の機能性が低下する可能性がある。
即ち、従来、鍵盤楽器の譜面台においては、機能性を低下させることなく、高い収納性を実現することが困難であった。
【０００５】
本発明は、このような状況に鑑みてなされたものであり、使用するときは良好に使用でき、非使用のときは良好に収納できる譜面台を備えた鍵盤楽器及び譜面台を提供することを目的とする。
【課題を解決するための手段】
【０００６】
上記目的を達成するため、本発明の一態様の鍵盤楽器は、
楽器本体と、
前記楽器本体に連結部材を介して、前記楽器本体の天面に倒された非使用状態と、前記天面から起こされた使用状態と、を取り得るように、連結された第１譜面板部材と、
前記第１譜面板部材と別部材で構成された第２譜面板部材と、
前記第１譜面板部材と前記第２譜面板部材とが離間した第１の状態と、前記第１譜面板部材と前記第２譜面板部材との少なくとも一部が接触もしくは前記第１の状態よりも近接した第２の状態のいずれかの状態で前記第１譜面板部材と前記第２譜面板部材とを連結する連結機構と、
を備えることを特徴とする。
【発明の効果】
【０００７】
本発明によれば、使用するときは良好に使用でき、非使用のときは良好に収納できる譜面台を備えた鍵盤楽器及び譜面台を提供することができる。
【図面の簡単な説明】
【０００８】
【図１】本発明の一実施形態に係る鍵盤楽器の全体構成を示す模式図である。
【図２】本発明の一実施形態に係る譜面台の構成を示す模式図であり、図２（Ａ）は、収縮状態の譜面台の正面図、図２（Ｂ）は、収縮状態の譜面台の右側面図、図２（Ｃ）は、収縮状態の譜面台の背面図、図２（Ｄ）は、伸長状態の譜面台の正面図、図２（Ｅ）は、伸長状態の譜面台の右側面図、図２（Ｆ）は、伸長状態の譜面台の背面図である。
【図３】回転支持部材の構造を示す模式図であり、図３（Ａ）は右側面図、図３（Ｂ）は正面図、図３（Ｃ）は内部構造を上方から透視した模式図である。
【図４】本発明の第２実施形態に係る譜面台の構成を示す模式図であり、図４（Ａ）は、収縮状態の譜面台の正面図、図４（Ｂ）は、収縮状態の譜面台の右側面図、図４（Ｃ）は、収縮状態の譜面台の背面図、図４（Ｄ）は、図４（Ａ）のＸ−Ｘ’断面図、図４（Ｅ）は、伸長状態の譜面台の正面図、図４（Ｆ）は、伸長状態の譜面台の右側面図、図４（Ｇ）は、伸長状態の譜面台の背面図である。
【図５】本発明の第３実施形態に係る譜面台の構成を示す模式図であり、図５（Ａ）は、収縮状態の譜面台の正面図、図５（Ｂ）は、収縮状態の譜面台の右側面図、図５（Ｃ）は、収縮状態の譜面台の背面図、図５（Ｄ）は、図５（Ａ）のＹ−Ｙ’断面図、図５（Ｅ）は、伸長状態の譜面台の正面図、図５（Ｆ）は、伸長状態の譜面台の右側面図、図５（Ｇ）は、伸長状態の譜面台の背面図である。
【図６】回転支持部材の構造を示す模式図である。
【発明を実施するための形態】
【０００９】
以下、本発明の実施形態について、図面を用いて説明する。
【００１０】
［第１実施形態］
［構成］
図１は、本発明の一実施形態に係る鍵盤楽器１の全体構成を示す模式図である。また、図２は、本発明の一実施形態に係る譜面台２０の構成を示す模式図である。なお、図２（Ａ）は、収縮状態の譜面台２０の正面図、図２（Ｂ）は、収縮状態の譜面台２０の右側面図、図２（Ｃ）は、収縮状態の譜面台２０の背面図である。また、図２（Ｄ）は、伸長状態の譜面台２０の正面図、図２（Ｅ）は、伸長状態の譜面台２０の右側面図、図２（Ｆ）は、伸長状態の譜面台２０の背面図である。
鍵盤楽器１は、例えば電子ピアノとして構成される。
図１に示すように、鍵盤楽器１は、本体１０と、譜面台２０とを備えている。
本体１０は、複数の鍵１１と、ハンマー部材１２と、スイッチ１３と、鍵盤回路１４とを備えている。
【００１１】
鍵１１は、水平方向に配置された回転軸に対して、上下方向に回転可能に設置されている。鍵１１は、ハンマー部材１２と連結されており、押鍵操作が行われると、ハンマー部材の自重に抗して、鍵１１は下方に押し下げられる。また、押鍵操作が解除されると、ハンマー部材の自重によって、鍵１１が元の位置まで押し上げられる。
ハンマー部材１２は、水平方向に配置された回転軸に対して、上下方向に回転可能に支持され、鍵１１が押鍵された場合の反力を付与する錘として機能する。
スイッチ１３は、鍵１１の押鍵の有無及び押鍵の強さ（ベロシティ）を検出するスイッチであり、押鍵の有無及び押鍵の強さを示す信号を鍵盤回路１４に出力する。
鍵盤回路１４は、鍵盤楽器１全体を制御する不図示のＣＰＵ（Ｃｅｎｔｒａｌ  Ｐｒｏｃｅｓｓｉｎ  Ｕｎｉｔ）や、各種パラメータを記憶するＲＡＭ（Ｒａｎｄｏｍ  Ａｃｅｓｓ  Ｍｅｍｏｒｙ）等の制御系統と電気的に接続されている。また、鍵盤回路１４は、スイッチ１３から出力された信号をＣＰＵ等に伝達する回路を備えている。
【００１２】
譜面台２０は、図２に示すように、下側譜面板部材２１と、ヒンジ２２ａ，２２ｂと、上側譜面板部材２３と、保持部材２４ａ，２４ｂと、回転支持部材２５ａ，２５ｂとを備えている。なお、本実施形態において、保持部材２４ａ，２４ｂ及び回転支持部材２５ａ，２５ｂは、下側譜面板部材２１と上側譜面板部材２３とを連結する連結機構Ｊを構成している。
下側譜面板部材２１は、ヒンジ２２ａ，２２ｂを介して本体１０の天面における前端部（演奏者側の端部）寄りの位置に設置されている。また、下側譜面板部材２１の裏面（演奏者から視認されない面）には、回転支持部材２５ａ，２５ｂが幅方向に並べて設置されている。
ヒンジ２２ａ，２２ｂは、下側譜面板部材２１の下端部と本体１０の天面とを回転軸周りに回転可能に連結している。具体的には、ヒンジ２２ａ，２２ｂは、下側譜面板部材２１の下端部において、幅方向中央に対する右側及び左側にそれぞれ設置されている。また、ヒンジ２２ａ，２２ｂは、本体１０の天面における前端部（演奏者側の端部）寄りの位置に設置されている。
【００１３】
上側譜面板部材２３は、下側譜面板部材２１と分離した部材であって、回転支持部材２５ａ，２５ｂを介して下側譜面板部材２１の上部と連結される。上側譜面板部材２３の裏面には、回転支持部材２５ａ，２５ｂによって上側譜面板部材２３を連結するための保持部材２４ａ，２４ｂが幅方向に並べて設置されている。
保持部材２４ａ，２４ｂは、後述する収縮用連結部材２５１ａ，２５１ｂ及び伸長用連結部材２５２ａ，２５２ｂの先端を挿入可能な保持穴を有し、上側譜面板部材２３の裏面において、幅方向に並べて設置されている。保持部材２４ａ，２４ｂは、上側譜面板部材２３の幅方向において、回転支持部材２５ａ，２５ｂが設置されている下側譜面板部材２１の幅方向の位置と対応する位置に設置されている。
【００１４】
回転支持部材２５ａ，２５ｂは、下側譜面板部材２１の裏面において、幅方向に並べて設置されている。また、回転支持部材２５ａ，２５ｂは、下側譜面板部材２１の裏面に垂直な回転軸の周りに回転可能に設置され、収縮用連結部材２５１ａ，２５１ｂと、伸長用連結部材２５２ａ，２５２ｂとを備えている。
図３は、回転支持部材２５ｂの構造を示す模式図であり、図３（Ａ）は右側面図、図３（Ｂ）は正面図、図３（Ｃ）は内部構造を上方から透視した模式図である。なお、回転支持部材２５ａは、回転支持部材２５ｂの構造が左右反転した構造となっている。
収縮用連結部材２５１ｂは、回転支持部材２５ｂの回転軸に対して垂直方向に延びる棒状部材である。収縮用連結部材２５１ｂの一端は回転支持部材２５ｂの回転軸側に固定され、他端（先端）は保持部材２４ｂの保持穴に挿入可能となっている。また、伸長用連結部材２５２ｂは、回転支持部材２５ｂの回転軸に対して水平方向に延び、収縮用連結部材２５１ｂよりも長い棒状部材である。伸長用連結部材２５２ｂの一端は回転支持部材２５ｂの回転軸側に固定され、他端（先端）は保持部材２４ｂの保持穴に挿入可能となっている。
【００１５】
回転支持部材２５ａ，２５ｂの収縮用連結部材２５１ａ，２５１ｂが保持部材２４ａ，２４ｂの保持穴に挿入された場合、下側譜面板部材２１の上端部と上側譜面板部材２３の下端部とが接触した状態で、下側譜面板部材２１と上側譜面板部材２３とが連結される。一方、回転支持部材２５ａ，２５ｂの伸長用連結部材２５２ａ，２５２ｂが保持部材２４ａ，２４ｂの保持穴に挿入された場合、下側譜面板部材２１の上端部と上側譜面板部材２３の下端部とが離間した状態で、下側譜面板部材２１と上側譜面板部材２３とが連結される。即ち、回転支持部材２５ａ，２５ｂの収縮用連結部材２５１ａ，２５１ｂが保持部材２４ａ，２４ｂの保持穴に挿入された場合、譜面台２０は収縮した状態（収縮状態）となり、回転支持部材２５ａ，２５ｂの伸長用連結部材２５２ａ，２５２ｂが保持部材２４ａ，２４ｂの保持穴に挿入された場合、譜面台２０は伸長した状態（伸長状態）となる。収縮状態の譜面台２０の裏面を本体１０の天面に向かい合わせて倒すことにより、譜面台２０は収納状態（非使用状態）となる。一方、伸長状態の譜面台２０を本体１０の天面から起立させることにより、譜面台２０は使用状態となる。なお、譜面台２０が本体１０の天面から起立した状態を維持するため、不図示の支持部材（支え棒等）が設置されている。
【００１６】
［作用］
次に、本実施形態に係る鍵盤楽器１の作用を説明する。
［譜面台の収納状態］
譜面台２０を収納状態とする場合、回転支持部材２５ａ，２５ｂの収縮用連結部材２５１ａ，２５１ｂを上向きに回転させ、それぞれの先端を保持部材２４ａ，２４ｂの保持穴に挿入する。
このとき、上側譜面板部材２３は、下側譜面板部材２１の上端部に対して下端部が接触した状態で連結され、譜面台２０は収縮状態となる（図２（Ａ）〜（Ｃ）参照）。即ち、譜面台２０の高さは、上側譜面板部材２３の高さと下側譜面板部材２１の高さとの合計（以下、「収縮時寸法ｈ１」と呼ぶ。）となる。収縮状態となった譜面台２０をヒンジ２２ａ，２２ｂの回転軸周りに回転させ、譜面台２０の裏面を本体１０の天面に向かい合わせて倒すことにより、譜面台２０は収納状態となる。収縮時寸法ｈ１は、ヒンジ２２ａ，２２ｂの設置位置から本体１０の天面の後端までの長さよりも小さい値に設計されるため、収納状態の譜面台２０の先端は、本体１０の天面における後端から突出しない状態となる。
【００１７】
［譜面台の使用状態］
譜面台２０を使用状態とする場合、回転支持部材２５ａ，２５ｂの伸長用連結部材２５２ａ，２５２ｂを上向きに回転させ、それぞれの先端を保持部材２４ａ，２４ｂの保持穴に挿入する。
このとき、上側譜面板部材２３は、下側譜面板部材２１の上端部に対して下端部が離間した状態で連結され、譜面台２０は伸長状態となる（図２（Ｄ）〜（Ｆ）参照）。即ち、譜面台２０の高さは、上側譜面板部材２３の高さと下側譜面板部材２１の高さとの合計（収縮時寸法ｈ１）と、上側譜面板部材２３と下側譜面板部材２１とが離間した距離との合計（以下、「伸長時寸法ｈ２」と呼ぶ。）となる。伸長状態となった譜面台２０をヒンジ２２ａ，２２ｂの回転軸周りに回転させ、譜面台２０から起立させることにより、譜面台２０は使用状態となる。伸長時寸法ｈ２は、ヒンジ２２ａ，２２ｂの設置位置から本体１０の天面の後端までの長さよりも大きい値に設計することができるため、使用状態の譜面台２０は譜面を支持する作用を確保でき、譜面台としての機能性が低下する事態を避けることができる。
【００１８】
以上のように、本実施形態に係る鍵盤楽器１は、本体１０にヒンジ２２ａ，２２ｂを介して連結された下側譜面板部材２１と、下側譜面板部材２１と分離した部材として構成された上側譜面板部材２３とを備えている。そして、上側譜面板部材２３は、譜面台２０の非使用時には、回転支持部材２５ａ，２５ｂの収縮用連結部材２５１ａ，２５１ｂに支持される。すると、下側譜面板部材２１の上端部と上側譜面板部材２３の下端部とが接触した状態で、下側譜面板部材２１と上側譜面板部材２３とが連結される。このときの譜面台２０の高さ（収縮時寸法ｈ１）は、ヒンジ２２ａ，２２ｂの設置位置から本体１０の天面の後端までの長さよりも小さい値となる。
これにより、可倒式の譜面台２０を本体１０の天面に倒した場合に、譜面台２０の先端を本体１０の天面の後端から突出させることなく、譜面台２０を収納状態とすることができる。
また、上側譜面板部材２３は、譜面台２０の使用時には、回転支持部材２５ａ，２５ｂの伸長用連結部材２５２ａ，２５２ｂに支持される。すると、下側譜面板部材２１の上端部と上側譜面板部材２３の下端部とが離間した状態で、下側譜面板部材２１と上側譜面板部材２３とが連結される。このときの譜面台２０の高さ（伸長時寸法ｈ２）は、ヒンジ２２ａ，２２ｂの設置位置から本体１０の天面の後端までの長さよりも大きい値となる。
これにより、可倒式の譜面台２０を本体１０の天面から起立させた場合に、譜面を支持するために必要な高さを確保して、譜面台２０を使用状態とすることができる。
したがって、鍵盤楽器１の譜面台２０において、機能性を低下させることなく、より高い収納性を実現することができる。
なお、譜面台２０の収納状態は、下側譜面板部材２１の上端部と上側譜面板部材２３の下端部とが接触した状態でなくても、わずかに離れていてもよい。
【００１９】
［第２実施形態］
次に、本発明の第２実施形態について説明する。
第２実施形態に係る鍵盤楽器１は、譜面台２０の構成が第１実施形態と異なっている。
したがって、第１実施形態と異なる部分である譜面台２０の構成を主として説明する。
図４は、本発明の第２実施形態に係る譜面台２０の構成を示す模式図である。なお、図４（Ａ）は、収縮状態の譜面台２０の正面図、図４（Ｂ）は、収縮状態の譜面台２０の右側面図、図４（Ｃ）は、収縮状態の譜面台２０の背面図、図４（Ｄ）は、図４（Ａ）のＸ−Ｘ’断面図である。また、図４（Ｅ）は、伸長状態の譜面台２０の正面図、図４（Ｆ）は、伸長状態の譜面台２０の右側面図、図４（Ｇ）は、伸長状態の譜面台２０の背面図である。
【００２０】
図４に示すように、譜面台２０は、下側譜面板部材２１と、ヒンジ２２ａ，２２ｂと、上側譜面板部材２３と、保持部材２４ａ，２４ｂと、回転支持部材２５ａ，２５ｂとを備えている。なお、本実施形態において、保持部材２４ａ，２４ｂ、回転支持部材２５ａ，２５ｂ、後述するダボ３１ａ〜３１ｃ及びダボ穴３３ａ〜３３ｃは、下側譜面板部材２１と上側譜面板部材２３とを連結する連結機構Ｊを構成している。
下側譜面板部材２１は、ヒンジ２２ａ，２２ｂを介して本体１０の天面における前端部（演奏者側の端部）寄りの位置に設置されている。また、下側譜面板部材２１の裏面（演奏者から視認されない面）には、回転支持部材２５ａ，２５ｂが幅方向に並べて設置されている。さらに、下側譜面板部材２１の上端面には、正面視において、幅方向の左寄り、中央及び右寄りの位置に、ダボ３１ａ〜３１ｃが設置されている。
ヒンジ２２ａ，２２ｂは、下側譜面板部材２１の下端部と本体１０の天面とを回転可能に連結している。具体的には、ヒンジ２２ａ，２２ｂは、下側譜面板部材２１の下端部において、幅方向中央に対する右側及び左側にそれぞれ設置されている。また、ヒンジ２２ａ，２２ｂは、本体１０の天面における前端部（演奏者側の端部）寄りの位置に設置されている。
【００２１】
上側譜面板部材２３は、下側譜面板部材２１と分離した部材であって、譜面台２０の使用時には、回転支持部材２５ａ，２５ｂを介して下側譜面板部材２１と連結される。
また、上側譜面板部材２３は、譜面台２０の収納時には、ダボ３１ａ〜３１ｃを介して下側譜面板部材２１と連結される。具体的には、上側譜面板部材２３の下端面には、正面視において、幅方向の左寄り、中央及び右寄りの位置に、ダボ穴３３ａ〜３３ｃが形成されている。ダボ穴３３ａ〜３３ｃは、下側譜面板部材２１の上端面においてダボ３１ａ〜３１ｃが設置されている幅方向の位置と対応する幅方向の位置に設置されている。また、各ダボ穴３３ａ〜３３ｃには、挿入されたダボ３１ａ〜３１ｃを受けるブッシュがそれぞれ設置されている。そして、譜面台２０の収納時には、上側譜面板部材２３のダボ穴３３ａ〜３３ｃに、下側譜面板部材２１のダボ３１ａ〜３１ｃが挿入され、下側譜面板部材２１の上端部と上側譜面板部材２３の下端部とが接触した状態で、下側譜面板部材２１と上側譜面板部材２３とが連結される。
また、上側譜面板部材２３の裏面には、回転支持部材２５ａ，２５ｂによって上側譜面板部材２３を連結するための保持部材２４ａ，２４ｂが幅方向に並べて設置されている。
保持部材２４ａ，２４ｂは、ダボ３１ａ〜３１ｃより長い伸長用連結部材２５２ａ，２５２ｂの先端を挿入可能な保持穴を有し、上側譜面板部材２３の裏面において、幅方向に並べて設置されている。保持部材２４ａ，２４ｂは、上側譜面板部材２３の幅方向において、回転支持部材２５ａ，２５ｂが設置されている下側譜面板部材２１の幅方向の位置と対応する位置に設置されている。
【００２２】
回転支持部材２５ａ，２５ｂは、下側譜面板部材２１の裏面において、幅方向に並べて設置されている。また、回転支持部材２５ａ，２５ｂは、下側譜面板部材２１の裏面に垂直な回転軸の周りに回転可能に設置され、伸長用連結部材２５２ａ，２５２ｂを備えている。即ち、本実施形態における回転支持部材２５ａ，２５ｂは、第１実施形態の図３に示す回転支持部材２５ａ，２５ｂにおいて、収縮用連結部材２５１ａ，２５１ｂが備えられていない構成である。
回転支持部材２５ａ，２５ｂの伸長用連結部材２５２ａ，２５２ｂが保持部材２４ａ，２４ｂの保持穴に挿入された場合、下側譜面板部材２１の上端部と上側譜面板部材２３の下端部とが離間した状態で、下側譜面板部材２１と上側譜面板部材２３とが連結される。即ち、上側譜面板部材２３のダボ穴３３ａ〜３３ｃに、下側譜面板部材２１のダボ３１ａ〜３１ｃが挿入された場合、譜面台２０は収縮した状態（収縮状態）となり、回転支持部材２５ａ，２５ｂの伸長用連結部材２５２ａ，２５２ｂが保持部材２４ａ，２４ｂの保持穴に挿入された場合、譜面台２０は伸長した状態（伸長状態）となる。収縮状態の譜面台２０の裏面を本体１０の天面に向かい合わせて倒すことにより、譜面台２０は収納状態（非使用状態）となる。一方、伸長状態の譜面台２０を本体１０の天面から起立させることにより、譜面台２０は使用状態となる。なお、譜面台２０が本体１０の天面から起立した状態を維持するため、不図示の支持部材（支え棒等）が設置されている。
【００２３】
［作用］
次に、本実施形態に係る鍵盤楽器１の作用を説明する。
［譜面台の収納状態］
譜面台２０を収納状態とする場合、回転支持部材２５ａ，２５ｂの伸長用連結部材２５２ａ，２５２ｂを横向き（水平となる向き）に回転させ、上側譜面板部材２３のダボ穴３３ａ〜３３ｃに、下側譜面板部材２１のダボ３１ａ〜３１ｃを挿入する。
このとき、上側譜面板部材２３は、下側譜面板部材２１の上端部に対して下端部が接触した状態で連結され、譜面台２０は収縮状態となる（図４（Ａ）〜（Ｄ）参照）。即ち、譜面台２０の高さは、上側譜面板部材２３の高さと下側譜面板部材２１の高さとの合計（収縮時寸法ｈ１）となる。収縮状態となった譜面台２０をヒンジ２２ａ，２２ｂの回転軸周りに回転させ、譜面台２０の裏面を本体１０の天面に向かい合わせて倒すことにより、譜面台２０は収納状態となる。収縮時寸法ｈ１は、ヒンジ２２ａ，２２ｂの設置位置から本体１０の天面の後端までの長さよりも小さい値に設計されるため、収納状態の譜面台２０の先端は、本体１０の天面における後端から突出しない状態となる。
【００２４】
［譜面台の使用状態］
譜面台２０を使用状態とする場合、回転支持部材２５ａ，２５ｂの伸長用連結部材２５２ａ，２５２ｂを上向きに回転させ、それぞれの先端を保持部材２４ａ，２４ｂの保持穴に挿入する。
このとき、上側譜面板部材２３は、下側譜面板部材２１の上端部に対して下端部が離間した状態で連結され、譜面台２０は伸長状態となる（図４（Ｅ）〜（Ｇ）参照）。即ち、譜面台２０の高さは、上側譜面板部材２３の高さと下側譜面板部材２１の高さとの合計（収縮時寸法ｈ１）と、上側譜面板部材２３と下側譜面板部材２１とが離間した距離との合計（伸長時寸法ｈ２）となる。伸長状態となった譜面台２０をヒンジ２２ａ，２２ｂの回転軸周りに回転させ、譜面台２０から起立させることにより、譜面台２０は使用状態となる。伸長時寸法ｈ２は、ヒンジ２２ａ，２２ｂの設置位置から本体１０の天面の後端までの長さよりも大きい値に設計することができるため、使用状態の譜面台２０は譜面を支持する作用を確保でき、譜面台としての機能性が低下する事態を避けることができる。
【００２５】
以上のように、本実施形態に係る鍵盤楽器１は、本体１０にヒンジ２２ａ，２２ｂを介して連結された下側譜面板部材２１と、下側譜面板部材２１と分離した部材として構成された上側譜面板部材２３とを備えている。そして、上側譜面板部材２３は、譜面台２０の非使用時には、下側譜面板部材２１のダボ３１ａ〜３１ｃに支持される。すると、下側譜面板部材２１の上端部と上側譜面板部材２３の下端部とが接触した状態で、下側譜面板部材２１と上側譜面板部材２３とが連結される。このときの譜面台２０の高さ（収縮時寸法ｈ１）は、ヒンジ２２ａ，２２ｂの設置位置から本体１０の天面の後端までの長さよりも小さい値となる。
これにより、可倒式の譜面台２０を本体１０の天面に倒した場合に、譜面台２０の先端を本体１０の天面の後端から突出させることなく、譜面台２０を収納状態とすることができる。
また、上側譜面板部材２３は、譜面台２０の使用時には、回転支持部材２５ａ，２５ｂの伸長用連結部材２５２ａ，２５２ｂに支持される。すると、下側譜面板部材２１の上端部と上側譜面板部材２３の下端部とが離間した状態で、下側譜面板部材２１と上側譜面板部材２３とが連結される。このときの譜面台２０の高さ（伸長時寸法ｈ２）は、ヒンジ２２ａ，２２ｂの設置位置から本体１０の天面の後端までの長さよりも大きい値となる。
これにより、可倒式の譜面台２０を本体１０の天面から起立させた場合に、譜面を支持するために必要な高さを確保して、譜面台２０を使用状態とすることができる。
したがって、鍵盤楽器１の譜面台２０において、機能性を低下させることなく、より高い収納性を実現することができる。
【００２６】
［第３実施形態］
次に、本発明の第３実施形態について説明する。
第１実施形態及び第２実施形態においては、下側譜面板部材２１と上側譜面板部材２３との連結状態を収縮状態と伸長状態とで変化させる場合に、下側譜面板部材２１と上側譜面板部材２３との連結を一旦解除する構成例について説明した。
これに対し、第３実施形態に係る鍵盤楽器１は、下側譜面板部材２１と上側譜面板部材２３との連結を維持したまま、収縮状態と伸長状態とを切り替える構成となっている。
図５は、本発明の第３実施形態に係る譜面台２０の構成を示す模式図である。なお、図５（Ａ）は、収縮状態の譜面台２０の正面図、図５（Ｂ）は、収縮状態の譜面台２０の右側面図、図５（Ｃ）は、収縮状態の譜面台２０の背面図、図５（Ｄ）は、図５（Ａ）のＹ−Ｙ’断面図である。また、図５（Ｅ）は、伸長状態の譜面台２０の正面図、図５（Ｆ）は、伸長状態の譜面台２０の右側面図、図５（Ｇ）は、伸長状態の譜面台２０の背面図である。
【００２７】
図５に示すように、譜面台２０は、下側譜面板部材２１と、ヒンジ２２ａ，２２ｂと、上側譜面板部材２３と、回転支持部材２５ａ，２５ｂとを備えている。なお、本実施形態において、回転支持部材２５ａ，２５ｂ及びピン４３ａ，４３ｂは、下側譜面板部材２１と上側譜面板部材２３とを連結する連結機構Ｊを構成している。
下側譜面板部材２１は、ヒンジ２２ａ，２２ｂを介して本体１０の天面における前端部（演奏者側の端部）寄りの位置に設置されている。また、下側譜面板部材２１の裏面（演奏者から視認されない面）には、回転支持部材２５ａ，２５ｂが幅方向に並べて設置されている。
ヒンジ２２ａ，２２ｂは、下側譜面板部材２１の下端部と本体１０の天面とを回転軸周りに回転可能に連結している。具体的には、ヒンジ２２ａ，２２ｂは、下側譜面板部材２１の下端部において、幅方向中央に対する右側及び左側にそれぞれ設置されている。また、ヒンジ２２ａ，２２ｂは、本体１０の天面における前端部（演奏者側の端部）寄りの位置に設置されている。
【００２８】
上側譜面板部材２３は、下側譜面板部材２１と分離した部材であって、回転支持部材２５ａ，２５ｂを介して下側譜面板部材２１と連結される。上側譜面板部材２３の裏面には、回転支持部材２５ａ，２５ｂによって上側譜面板部材２３を連結するためのピン４３ａ，４３ｂが幅方向に並べて設置されている。
ピン４３ａ，４３ｂは、後述するカム板４５ａのガイドレール４６ａに係合するカムピンによって構成され、上側譜面板部材２３の裏面において、幅方向に並べて設置されている。ピン４３ａ，４３ｂは、上側譜面板部材２３の幅方向において、回転支持部材２５ａ，２５ｂが設置されている下側譜面板部材２１の幅方向の位置と対応する位置に設置されている。また、ピン４３ａ，４３ｂは、上側譜面板部材２３の裏面における下端部に設置されている。
【００２９】
回転支持部材２５ａ，２５ｂは、下側譜面板部材２１の裏面において、幅方向に並べて設置されている。また、回転支持部材２５ａ，２５ｂは、下側譜面板部材２１の裏面に垂直な回転軸の周りに回転可能に設置され、カム板４５ａを備えている。
図６は、回転支持部材２５ｂの構造を示す模式図である。なお、回転支持部材２５ａは、回転支持部材２５ｂの構造が左右反転した構造となっている。
カム板４５ｂは、回転支持部材２５ｂの回転軸を中心とする楕円板の一部によって構成される。本実施形態において、カム板４５ｂは、図６に示すように、楕円板を長軸及び短軸で分割した略１／４の楕円板によって構成されている。
【００３０】
カム板４５ｂには、外周に沿う形状のガイドレール４６ａが形成されている。ガイドレール４６ａは、カム板４５ｂの短軸上の位置から長軸上の位置まで、中心からの距離が変化する形状に形成された貫通孔である。このガイドレール４６ａは、上側譜面板部材２３のピン４３ｂと係合している。そのため、回転支持部材２５ｂにおける楕円の短軸を上方に向けた場合、ピン４３ｂは、回転支持部材２５ｂの回転軸からカム板４５ｂの略短半径の高さに位置を規制される。このとき、下側譜面板部材２１の上端部と上側譜面板部材２３の下端部とが接触した状態となる。一方、回転支持部材２５ｂにおける楕円の長軸を上方に向けた場合、ピン４３ｂは、回転支持部材２５ｂの回転軸からカム板４５ｂの略長半径の高さに位置を規制される。このとき、下側譜面板部材２１の上端部と上側譜面板部材２３の下端部とが離間した状態となる。
なお、回転支持部材２５ａとピン４３ａとにおいても、回転支持部材２５ｂとピン４３ｂとの位置関係を左右反転した状態で、同様の連結構造となっている。
【００３１】
即ち、回転支持部材２５ａ，２５ｂにおける楕円の短軸を上方に向けた場合、譜面台２０は収縮した状態（収縮状態）となり、回転支持部材２５ａ，２５ｂにおける楕円の長軸を上方に向けた場合、譜面台２０は伸長した状態（伸長状態）となる。収縮状態の譜面台２０の裏面を本体１０の天面に向かい合わせて倒すことにより、譜面台２０は収納状態（非使用状態）となる。一方、伸長状態の譜面台２０を本体１０の天面から起立させることにより、譜面台２０は使用状態となる。なお、譜面台２０が本体１０の天面から起立した状態を維持するため、不図示の支持部材（支え棒等）が設置されている。
【００３２】
［作用］
次に、本実施形態に係る鍵盤楽器１の作用を説明する。
［譜面台の収納状態］
譜面台２０を収納状態とする場合、回転支持部材２５ａ，２５ｂにおける楕円の短軸を上方に向ける。
このとき、上側譜面板部材２３は、下側譜面板部材２１の上端部に対して下端部が接触した状態で連結され、譜面台２０は収縮状態となる（図５（Ａ）〜（Ｄ）参照）。即ち、譜面台２０の高さは、上側譜面板部材２３の高さと下側譜面板部材２１の高さとの合計（収縮時寸法ｈ１）となる。収縮状態となった譜面台２０をヒンジ２２ａ，２２ｂの回転軸周りに回転させ、譜面台２０の裏面を本体１０の天面に向かい合わせて倒すことにより、譜面台２０は収納状態となる。収縮時寸法ｈ１は、ヒンジ２２ａ，２２ｂの設置位置から本体１０の天面の後端までの長さよりも小さい値に設計されるため、収納状態の譜面台２０の先端は、本体１０の天面における後端から突出しない状態となる。
【００３３】
［譜面台の使用状態］
譜面台２０を使用状態とする場合、回転支持部材２５ａ，２５ｂにおける楕円の長軸を上方に向ける。
このとき、上側譜面板部材２３は、下側譜面板部材２１の上端部に対して下端部が離間した状態で連結され、譜面台２０は伸長状態となる（図５（Ｅ）〜（Ｇ）参照）。即ち、譜面台２０の高さは、上側譜面板部材２３の高さと下側譜面板部材２１の高さとの合計（収縮時寸法ｈ１）と、上側譜面板部材２３と下側譜面板部材２１とが離間した距離との合計（伸長時寸法ｈ２）となる。伸長状態となった譜面台２０をヒンジ２２ａ，２２ｂの回転軸周りに回転させ、譜面台２０から起立させることにより、譜面台２０は使用状態となる。伸長時寸法ｈ２は、ヒンジ２２ａ，２２ｂの設置位置から本体１０の天面の後端までの長さよりも大きい値に設計することができるため、使用状態の譜面台２０は譜面を支持する作用を確保でき、譜面台としての機能性が低下する事態を避けることができる。
【００３４】
［収納状態と使用状態との切り替え操作工程］
譜面台２０を収納状態から使用状態あるいは使用状態から収納状態に切り替える場合、回転支持部材２５ａ，２５ｂを左右に９０度回転させる操作が行われる。このときの一連の工程において、上側譜面板部材２３は、回転支持部材２５ａ，２５ｂ及びピン４３ａ，４３ｂによって、下側譜面板部材２１と連結が維持される。
したがって、上側譜面板部材２３が紛失する事態を避けることができる。
【００３５】
以上のように、本実施形態に係る鍵盤楽器１は、本体１０にヒンジ２２ａ，２２ｂを介して連結された下側譜面板部材２１と、下側譜面板部材２１と分離した部材として構成された上側譜面板部材２３とを備えている。そして、上側譜面板部材２３は、譜面台２０の非使用時には、回転支持部材２５ａ，２５ｂにおける楕円の短軸が上方に向いた状態で支持される。すると、下側譜面板部材２１の上端部と上側譜面板部材２３の下端部とが接触した状態で、下側譜面板部材２１と上側譜面板部材２３とが連結される。このときの譜面台２０の高さ（収縮時寸法ｈ１）は、ヒンジ２２ａ，２２ｂの設置位置から本体１０の天面の後端までの長さよりも小さい値となる。
これにより、可倒式の譜面台２０を本体１０の天面に倒した場合に、譜面台２０の先端を本体１０の天面の後端から突出させることなく、譜面台２０を収納状態とすることができる。
【００３６】
また、上側譜面板部材２３は、譜面台２０の使用時には、回転支持部材２５ａ，２５ｂにおける楕円の長軸が上方に向いた状態で支持される。すると、下側譜面板部材２１の上端部と上側譜面板部材２３の下端部とが離間した状態で、下側譜面板部材２１と上側譜面板部材２３とが連結される。このときの譜面台２０の高さ（伸長時寸法ｈ２）は、ヒンジ２２ａ，２２ｂの設置位置から本体１０の天面の後端までの長さよりも大きい値となる。
これにより、可倒式の譜面台２０を本体１０の天面から起立させた場合に、譜面を支持するために必要な高さを確保して、譜面台２０を使用状態とすることができる。
したがって、鍵盤楽器１の譜面台２０において、機能性を低下させることなく、より高い収納性を実現することができる。
また、下側譜面板部材２１と上側譜面板部材２３とは、回転支持部材２５ａ，２５ｂ及びピン４３ａ，４３ｂによって、連結が維持される。
したがって、上側譜面板部材２３が紛失する事態を避けることができる。
【００３７】
［変形例１］
上述の実施形態において、回転支持部材２５ａ，２５ｂにクリック機構（特定の回転位置で回転の抵抗を付与する機構）を備え、収納状態あるいは使用状態における回転支持部材２５ａ，２５ｂの姿勢を保持する構成とすることができる。
この場合、例えば、回転支持部材２５ａ，２５ｂの内周面に案内溝を形成し、この溝にばねによってスチールボールを押し当てる構造とする。また、案内溝において、収納状態のときにスチールボールが位置する箇所及び使用状態のときにスチールボールが位置する箇所に窪みを形成しておく。すると、回転支持部材２５ａ，２５ｂが回転して、窪みにスチールボールが嵌まることで、回転位置を保持する一定の力を付与することができる。
これにより、ユーザが譜面台２０を使用状態あるいは収納状態とする作業において、回転支持部材２５ａ，２５ｂを所望の位置で保持することができるため、譜面台２０の状態を変化させる作業を容易に行うことができる。
【００３８】
以上のように構成される鍵盤楽器１は、本体１０と、下側譜面板部材２１と、上側譜面板部材２３と、連結機構Ｊとを備える。
下側譜面板部材２１は、連結部材を介して鍵盤楽器の本体１０の天面に可倒可能に連結されている。
上側譜面板部材２３は、下側譜面板部材２１と別部材で構成されている。
連結機構Ｊは、下側譜面板部材２１と上側譜面板部材２３とが離間した第１の状態（伸長状態）と、下側譜面板部材２１と上側譜面板部材２３との少なくとも一部が接触もしくは第１の状態よりも近接した第２の状態（収縮状態）のいずれかの状態で前記第１譜面板部材と前記第２譜面板部材とを連結する。
これにより、譜面台２０を構成する下側譜面板部材２１と上側譜面板部材２３とが収縮した状態と伸長した状態とに変化させることができるため、譜面台２０の収納時及び使用時それぞれに適した状態とすることができる。
したがって、鍵盤楽器の譜面台において、機能性を低下させることなく、より高い収納性を実現することができる。
【００３９】
また、第２の状態において、下側譜面板部材２１及び上側譜面板部材２３が本体１０の天面に倒された場合に、上側譜面板部材２３の上端が本体１０の天面の端部から突出しない。
これにより、譜面台２０を収納状態とした場合に、本体１０の天面の範囲に収まる構成とできるため、譜面台２０の収納性を高めることができる。
【００４０】
また、連結機構Ｊは、回転支持部材２５ａ，２５ｂと、保持部材２４ａ，２４ｂとを備える。
回転支持部材２５ａ，２５ｂは、下側譜面板部材２１及び上側譜面板部材２３の裏面に設置され、第２の状態において回転の中心から垂直方向に延びる収縮用連結部材２５１ａ，２５１ｂと、収縮用連結部材２５１ａ，２５１ｂよりも長く収縮用連結部材２５１ａ，２５１ｂとは異なる方向に延びる伸長用連結部材２５２ａ，２５２ｂとを備える。
保持部材２４ａ，２４ｂは、下側譜面板部材２１及び上側譜面板部材２３の一方の裏面に設置され、収縮用連結部材２５１ａ，２５１ｂ及び伸長用連結部材２５２ａ，２５２ｂの先端を保持する。
これにより、保持部材２４ａ，２４ｂが収縮用連結部材２５１ａ，２５１ｂあるいは伸長用連結部材２５２ａ，２５２ｂの先端を保持することにより、譜面台２０を構成する下側譜面板部材２１と上側譜面板部材２３とが収縮した状態と伸長した状態とに変化させることができるため、譜面台２０の収納時及び使用時それぞれに適した状態とすることができる。
したがって、鍵盤楽器の譜面台において、機能性を低下させることなく、より高い収納性を実現することができる。
【００４１】
また、連結機構Jは、ダボ３１ａ〜３１ｃと、ダボ穴３３ａ〜３３ｃと、回転支持部材２５ａ，２５ｂと、保持部材２４ａ，２４ｂとを備える。
ダボ３１ａ〜３１ｃは、下側譜面板部材２１及び上側譜面板部材２３のいずれか一方に設置され、下側譜面板部材２１及び上側譜面板部材２３の他方に対向する端面から突出する。
ダボ穴３３ａ〜３３ｃは、下側譜面板部材２１及び上側譜面板部材２３の他方に設置され、ダボ３１ａ〜３１ｃと嵌合する。
回転支持部材２５ａ，２５ｂは、下側譜面板部材２１及び上側譜面板部材２３のいずれか一方の裏面に設置され、第２の状態において回転の中心から水平方向に延び、ダボ３１ａ〜３１ｃよりも長い伸長用連結部材２５２ａ，２５２ｂを備える。
保持部材２４ａ，２４ｂは、下側譜面板部材２１及び上側譜面板部材２３の他方の裏面に設置され、伸長用連結部材２５２ａ，２５２ｂの先端を保持する。
これにより、ダボ３１ａ〜３１ｃがダボ穴３３ａ〜３３ｃと嵌合することで、譜面台２０を構成する下側譜面板部材２１と上側譜面板部材２３とが収縮した状態とすることができる。また、保持部材２４ａ，２４ｂが伸長用連結部材２５２ａ，２５２ｂの先端を保持することにより、譜面台２０を構成する下側譜面板部材２１と上側譜面板部材２３とが伸長した状態とすることができる。そのため、譜面台２０の収納時及び使用時それぞれに適した状態とすることができる。
したがって、鍵盤楽器の譜面台において、機能性を低下させることなく、より高い収納性を実現することができる。
【００４２】
また、連結機構Ｊは、回転支持部材２５ａ，２５ｂと、ピン４３ａ，４３ｂとを備える。
回転支持部材２５ａ，２５ｂは、下側譜面板部材２１及び上側譜面板部材２３のいずれか一方の裏面に設置され、回転軸から第１の距離（短半径）を有する第１の支持位置と、回転軸から前記第１の距離よりも大きい第２の距離（長半径）を有する第２の支持位置とを有するガイドレール４６ａを備える。
ピン４３ａ，４３ｂは、下側譜面板部材２１及び上側譜面板部材２３の他方の裏面に設置され、ガイドレール４６ａに係合する。
これにより、ピン４３ａ，４３ｂがガイドレール４６ａの第１の支持位置あるいは第２の支持位置に支持されることにより、譜面台２０を構成する下側譜面板部材２１と上側譜面板部材２３とが収縮した状態と伸長した状態とに変化させることができるため、譜面台２０の収納時及び使用時それぞれに適した状態とすることができる。
したがって、鍵盤楽器の譜面台において、機能性を低下させることなく、より高い収納性を実現することができる。
【００４３】
なお、本発明は、上述の実施形態に限定されるものではなく、本発明の目的を達成できる範囲での変形、改良等は本発明に含まれるものである。
【００４４】
第１実施形態及び第２実施形態では、回転支持部材２５ａ，２５ｂを下側譜面板部材２１に備え、保持部材２４ａ，２４ｂを上側譜面板部材２３に備えることとして説明したが、これに限られない。即ち、回転支持部材２５ａ，２５ｂを上側譜面板部材２３に備え、保持部材２４ａ，２４ｂを下側譜面板部材２１に備えることとしてもよい。
また、第２実施形態では、ダボ３１ａ〜３１ｃを下側譜面板部材２１に備え、ダボ穴３３ａ〜３３ｃを上側譜面板部材２３に備えることとして説明したが、これに限られない。即ち、ダボ３１ａ〜３１ｃを上側譜面板部材２３に備え、ダボ穴３３ａ〜３３ｃを下側譜面板部材２１に備えることとしてもよい。
さらに、第３実施形態では、回転支持部材２５ａ，２５ｂを下側譜面板部材２１に備え、ピン４３ａ，４３ｂを上側譜面板部材２３に備えることとして説明したが、これに限られない。即ち、回転支持部材２５ａ，２５ｂを上側譜面板部材２３に備え、ピン４３ａ，４３ｂを下側譜面板部材２１に備えることとしてもよい。
また、下側譜面板部材２１と上側譜面板部材２３とが離間した第１の状態（伸長状態）と、下側譜面板部材２１と上側譜面板部材２３とが第１の状態よりも近接した第２の状態（収縮状態）とで連結状態を変化させるが、第２の状態は、下側譜面板部材２１と上側譜面板部材２３とが接触していても良いし、離れていても良い。つまり、第２の状態は、下側譜面板部材２１と上側譜面板部材２３との少なくとも一部が接触もしくは第１の状態よりも近接していてよい。
【００４５】
また、上述の実施形態では、本発明が適用される鍵盤楽器１は、電子ピアノを例として説明したが、特にこれに限定されない。
例えば、本発明は、可倒式の譜面台を有する楽器一般に適用することができる。具体的には、例えば、本発明は、電子オルガン、エレクトーン等に適用可能である。
【００４６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００４７】
以下に、本願の出願当初の特許請求の範囲に記載された発明を付記する。
［付記１］
楽器本体と、
連結部材を介して前記楽器本体の天面に可倒可能に連結された第１譜面板部材と、
前記第１譜面板部材と別部材で構成された第２譜面板部材と、
前記第１譜面板部材と前記第２譜面板部材とが離間した第１の状態と、前記第１譜面板部材と前記第２譜面板部材との少なくとも一部が接触もしくは前記第１の状態よりも近接した第２の状態のいずれかの状態で前記第１譜面板部材と前記第２譜面板部材とを連結する連結機構と、
を備えることを特徴とする鍵盤楽器。
［付記２］
前記第２の状態において、前記第１譜面板部材及び前記第２譜面板部材が前記楽器本体の天面に倒された場合に、前記第２譜面板部材の上端が前記楽器本体の天面の端部から突出しないことを特徴とする付記１に記載の鍵盤楽器。
［付記３］
前記連結機構は、
前記第１譜面板部材及び前記第２譜面板部材の裏面に設置され、前記第２の状態において回転の中心から垂直方向に延びる第１腕部材と、前記第１腕部材よりも長く前記第１腕部材とは異なる方向に延びる第２腕部材とを備える回転支持部材と、
前記第１譜面板部材及び前記第２譜面板部材の一方の裏面に設置され、前記第１腕部材及び前記第２腕部材の先端を保持する保持部材と、
を備えることを特徴とする付記１または２に記載の鍵盤楽器。
［付記４］
前記連結機構は、
前記第１譜面板部材及び第２譜面板部材のいずれか一方に設置される突出部と、
前記第１譜面板部材及び前記第２譜面板部材の他方に設置され、前記突出部と嵌合する嵌合穴と、
前記第１譜面板部材及び前記第２譜面板部材のいずれか一方の裏面に設置され、前記第２の状態において回転の中心から水平方向に延び、前記突出部よりも長い第３腕部材を備える回転支持部材と、
前記第１譜面板部材及び前記第２譜面板部材の他方の裏面に設置され、前記第３腕部材の先端を保持する保持部材と、
を備えることを特徴とする付記１または２に記載の鍵盤楽器。
［付記５］
前記連結機構は、
前記第１譜面板部材及び前記第２譜面板部材のいずれか一方の裏面に設置され、回転軸から第１の距離を有する第１の支持位置と、回転軸から前記第１の距離よりも大きい第２の距離を有する第２の支持位置とを有するガイドレールを備える回転支持部材と、
前記第１譜面板部材及び前記第２譜面板部材の他方の裏面に設置され、前記ガイドレールに係合する係合部材と、
を備えることを特徴とする付記１または２に記載の鍵盤楽器。
［付記６］
連結部材を介して楽器本体の天面に可倒可能に連結される第１譜面板部材と、
前記第１譜面板部材と別部材で構成された第２譜面板部材と、
前記第１譜面板部材と前記第２譜面板部材とが離間した第１の状態と、前記第１譜面板部材と前記第２譜面板部材との少なくとも一部が接触もしくは前記第１の状態よりも近接した第２の状態のいずれかの状態で前記第１譜面板部材と前記第２譜面板部材とを連結する連結機構と、
を備える譜面台。
【符号の説明】
【００４８】
１・・・鍵盤，１０・・・本体，１１・・・鍵，１２・・・ハンマー部材，１３・・・スイッチ，１４・・・鍵盤回路，２０・・・譜面台，２１・・・下側譜面板部材，２２ａ、２２ｂ・・・ヒンジ，２３・・・上側譜面板部材，２４ａ、２４ｂ・・・保持部材，２５ａ，２５ｂ・・・回転支持部材，２５１ａ、２５１ｂ・・・収縮用連結部材，２５２ａ、２５２ｂ・・・伸長用連結部材，３１ａ〜３１ｃ・・・ダボ，３３ａ〜３３ｃ・・・ダボ穴，４３ａ、４３ｂ・・・ピン，４５ａ、４５ｂ・・・カム板，４６ａ、４６ｂ・・・ガイドレール，J・・・連結機構
【図１】
0006481306.tif 000002
【図２】
0006481306.tif 000003
【図３】
0006481306.tif 000004
【図４】
0006481306.tif 000005
【図５】
0006481306.tif 000006
【図６】
0006481306.tif 000007